(57)【要約】【課題】コストアップを招くことなく剛性を高めたメモリカード用アダプタを提供する。【解決手段】メモリカード用アダプタＡは、側面に開口したカード挿入口を通してメモリカードが挿抜される箱状のアダプタ本体と、アダプタ本体の内部にそれぞれ配置され、カード挿入口を通して挿入されるメモリカードの複数のＩ／Ｏ接触面に電気的に接続されるとともに、ソケットに装着した際にソケットの複数のコンタクトに電気的に接続される複数のコンタクト４１  〜４９  とを備え、アダプタ本体を、メモリカードのＩ／Ｏ接触面が形成された一面と対向配置される樹脂製のベース２と、メモリカードの他面と対向する部位に開口部１ｄが形成されベース２におけるメモリカード側の面に被着されるカバー１と、カバー１の開口部１ｄに取着される金属シェル３と、を結合して構成している。【選択図】      図１
2004272704.tif 000002
【特許請求の範囲】
【請求項１】
メモリカードを装着して、前記メモリカードよりも外形が大きい大型メモリカード用のソケットに前記メモリカードを電気的且つ機械的に接続するためのメモリカード用アダプタであって、
側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、
前記アダプタ本体を、メモリカードのＩ／Ｏ接触面が形成された一面と対向配置される樹脂製のベースと、メモリカードの他面と対向する部位の少なくとも一部に開口部が形成され、ベースにおけるメモリカード側の面に被着される樹脂製のカバーと、カバーの開口部に取着される金属シェルと、を結合して構成したことを特徴とするメモリカード用アダプタ。
【請求項２】
金属シェルと一体に、ベースとカバーとの間で挟持される固定片を形成したことを特徴とする請求項１記載のメモリカード用アダプタ。
【請求項３】
グランドのコンタクトに接続される導電部材と電気的に接続される接続端子を金属シェルと一体に形成したことを特徴とする請求項１記載のメモリカード用アダプタ。
【請求項４】
メモリカードの両側面に設けられたロック用凹部とそれぞれ係止する係止ばね片を金属シェルと一体に形成したことを特徴とする請求項１記載のメモリカード用アダプタ。
【発明の詳細な説明】
【０００１】
【発明の属する技術分野】
本発明は、小型メモリカードを一回り大きな大型メモリカード用のソケットに接続するためのメモリカード用アダプタに関するものである。
【０００２】
【従来の技術】
従来より、図２１に示すようなＳＤメモリカードやマルチメディアカード（ＭＭＣ）のようなメモリカードＭＣが提供されている。
【０００３】
このメモリカードＭＣは外周形状が矩形状になっており、メモリカードＭＣの後部（挿入側）の裏面側には複数個のＩ／Ｏ接触面（図示せず）が並設されている。またメモリカードＭＣの後部の一方の角を落として切欠部６１を形成するとともに、裏面部の両側部には、表面側の幅よりも裏面側の幅を狭くした段部６２，６２を形成してあり、切欠部６１と段部６２とでメモリカードＭＣを挿抜自在に接続するソケットへの逆差しを防止している。
【０００４】
メモリカードＭＣにおいて切欠部６１を形成した一方の側縁には矩形状に陥没したロック用切欠６３が設けられており、メモリカードＭＣをソケットに接続した際にソケットのロック片がロック用切欠６３と係止することによって、メモリカードＭＣの脱落を防止するようになっている。またメモリカードＭＣにおいて切欠部６１を形成した側と反対側の側面には、ライトプロテクトのスイッチＳＷの摘み６４が露出する凹部６５を設けており、スイッチＳＷの摘み６４の凹部６５内の移動位置によって、ライトプロテクト状態にあるか否かを示すようになっている。
【０００５】
ところで、近年メモリカードＭＣを使用するＰＤＡなどの機器の小型化に伴ってＳＤメモリカードの小型化が望まれており、図２２及び図２３に示すような構造を有しＳＤメモリカードの外形を一回り小さくしたミニＳＤカードＭＳＤが提案されている。
【０００６】
ミニＳＤカードＭＳＤは扁平な略矩形板状であって、ＳＤメモリカードに比べて外形が一回り小さくなっており、後部（挿入側）の一方の角には切欠部５１が形成されている。また、ミニＳＤカードＭＳＤの後部下面には凹所５２が形成され、この凹所５２には複数（ミニＳＤカードＭＳＤの場合は１１個）のＩ／Ｏ接触面５３が並行に配設されている。また、ミニＳＤカードＭＳＤの挿入側の左右両側縁には上向き段部５４，５４を形成してあり、上記切欠部５１よりも前側（挿入側と反対側）の位置には上面の左右両側縁にロック用凹所５５，５５を形成している。
【０００７】
このようなミニＳＤカードＭＳＤは従来のメモリカードＭＣに比べて外形が一回り小さいので、従来のメモリカードＭＣ用のソケットにミニＳＤカードＭＳＤを接続するためには、ミニＳＤカードＭＳＤを保持してメモリカードＭＣ用のソケットに接続され、ミニＳＤカードＭＳＤとソケットとの間を電気的に接続するメモリカード用アダプタが必要となる。なお、この種のメモリカード用アダプタとしては、例えば特許文献１に示されるようにＰＣカードを装着して、フレキシブルディスクのドライブ装置に接続するためのものが従来より提供されている。
【０００８】
【特許文献１】
特開平１１−３４０５号公報（第３頁−第５頁、及び、第２図）
【０００９】
【発明が解決しようとする課題】
ところで、ミニＳＤカードＭＳＤをメモリカードＭＣ用のソケットに接続するためのメモリカード用アダプタでは、ミニＳＤカードＭＳＤを収容するケースを樹脂製のベースとカバーとを結合して形成しているが、小型で薄いＳＤメモリカードやマルチメディアカード（ＭＭＣ）のようなメモリカードＭＣに対応した寸法でケースを形成しているため、ベース及びカバーの厚みを薄くしなければならず、ケースの剛性が低下するという問題があった。またベース及びカバーが樹脂製のため耐ノイズ性が低いという問題もあった。
【００１０】
本発明は上記問題点に鑑みて為されたものであり、その目的とするところは、コストアップを招くことなく剛性を高めたメモリカード用アダプタを提供することにある。また請求項３の発明の目的とするところは、上記の目的に加えて耐ノイズ性を向上させたメモリカード用アダプタを提供することにある。
【００１１】
【課題を解決するための手段】
上記目的を達成するために、請求項１の発明では、メモリカードを装着して、前記メモリカードよりも外形が大きい大型メモリカード用のソケットに前記メモリカードを電気的且つ機械的に接続するためのメモリカード用アダプタであって、側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、前記アダプタ本体を、メモリカードのＩ／Ｏ接触面が形成された一面と対向配置される樹脂製のベースと、メモリカードの他面と対向する部位の少なくとも一部に開口部が形成され、ベースにおけるメモリカード側の面に被着される樹脂製のカバーと、カバーの開口部に取着される金属シェルと、を結合して構成したことを特徴とする。
【００１２】
請求項２の発明では、請求項１の発明において、金属シェルと一体に、ベースとカバーとの間で挟持される固定片を形成したことを特徴とする。
【００１３】
請求項３の発明では、請求項１の発明において、グランドのコンタクトに接続される導電部材と電気的に接続される接続端子を金属シェルと一体に形成したことを特徴とする。
【００１４】
請求項４の発明では、請求項１の発明において、メモリカードの両側面に設けられたロック用凹部とそれぞれ係止する係止ばね片を金属シェルと一体に形成したことを特徴とする。
【００１５】
【発明の実施の形態】
本発明に係るメモリカード用アダプタの一実施形態を図１〜図２０に基づいて説明する。尚、以下の説明では特に断りが無い場合、図２における矢印ａ−ｂ方向を上下方向、矢印ｃ−ｄ方向を左右方向、矢印ｅ−ｆ方向を前後方向として説明を行う。
【００１６】
本実施形態のメモリカード用アダプタＡは、図２２及び図２３に示すミニＳＤカードＭＳＤをＳＤメモリカード用のソケットに接続するために用いられるもので、ミニＳＤカードＭＳＤのＩ／Ｏ接触面が形成された一面と対向配置される樹脂製のベース２と、ミニＳＤカードＭＳＤの他面と対向する部位に開口部１ｄが形成され、ベース２におけるミニＳＤカードＭＳＤ側の面に被着される樹脂製のカバー１と、カバー１の開口部１ｄに取着される金属シェル３と、導電部材としての複数本（ミニＳＤカードの場合は例えば９本）のコンタクト４１  〜４９  と、ライトプロテクト用の摘み７とで構成される。カバー１とベース２とは、金属シェル３とコンタクト４１  〜４９  と摘み７とを間に挟んだ状態で接合され、前側の側面にはミニＳＤカードＭＳＤを挿入するためのカード挿入口４０が開口し、カード挿入口４０に連通してミニＳＤカードＭＳＤを収納するカード収納室１０が設けられている。なお、カバー１とベース２と金属シェル３とで構成されるアダプタ本体はＳＤメモリカードと縦、横、厚みの各寸法が同じ寸法に形成されている。
【００１７】
カバー１は合成樹脂成型品からなり、略矩形状の主部１ａの前端部の左右両側からそれぞれ脚部１ｂ，１ｃが前方に向かって突出しており、主部１ａと脚部１ｂ，１ｃとで平面視の形状がコ字形に形成されている。
【００１８】
カバー１の主部１ａの後部（図７の上側）には一方の角を落として切欠部５ａを形成してある。カバー１において切欠部５ａを形成した側の脚部１ｂの外側縁には矩形状に陥没した切欠６ａが設けられ、切欠部５ａを形成した側と反対側の脚部１ｃの外側縁にはライトプロテクト用の摘み７が露出する切欠部８ａが設けられている。またカバー１の下面には切欠部８ａに連通する矩形状の摘み収納凹部３３が形成されており、摘み収納凹部３３の奥には前後方向に沿って延びる凹溝３４が形成されている。またカバー１の両脚部１ａ，１ｂの対向面には、それぞれ、前後方向における中間部に後述する金属カバー３の弾接ばね片４４ａ，４４ｂが配設される凹部１１ａ，１１ｂが設けられ、凹部１１ａ，１１ｂの上側縁には内側に向かって突出する突条１１ｃ，１１ｄが一体に形成されている。なお突条１１ｃ，１１ｄはそれぞれ前後方向に沿って延びており、弾接ばね片４４ａ，４４ｂがカバー１の上側に突出するのを防止している。
【００１９】
またカバー１の主部１ａには、ベース２との対向面の後部に平面視の形状が矩形状に形成された複数（本実施形態では例えば９個）の端子片支持台１４が左右方向に並べて並設され、またベース２との対向面の前縁には左右方向に沿って延びるコンタクト受け台１３がベース２側に向かって突設されている。このコンタクト受け台１３には、後述する金属シェル３の連結片４５ａ，４５ｂに対応する部位に切欠溝１３ａ，１３ａが形成され、各切欠溝１３ａ，１３ａは対応する端子片支持台１４，１４の後端まで延びている。またコンタクト受け台１３の左右両側には、後述する金属シェル３の固定片４３，４３に対向する部位に、それぞれ固定片４３，４３が嵌合する凹溝２７，２７がそれぞれ形成されている。
【００２０】
一方、ベース２は合成樹脂成型品からなり、平面視の形状が略矩形状に形成されており、カバー１の切欠部５ａに対応する角を落として切欠部５ａとともに逆差し防止用切欠５を構成する切欠部５ｂが形成され、裏面（カバー１との対向面と反対側の面）の左右両側縁には表面側の幅よりも裏面側の幅を狭くした下向き段部１８，１８が形成されている。ベース２において切欠部５ｂを形成した一方の側縁には、カバー１の切欠６ａに対応する部位に切欠６ａと共にロック用切欠６を構成する矩形状に陥没した切欠６ｂが設けられ、切欠部５ｂを形成した側と反対側の側縁には摘み７が露出する切欠部８ｂが設けられている。
【００２１】
ベース２の上面には、切欠部８ｂに連通する矩形状の摘み収納凹部３５が形成され、摘み収納凹部３５の奥には前後方向に沿って延びる凹溝３６が形成されており、凹溝３６底面の前後方向における中間部には上方に向かって係止突起３７が突設されている。
【００２２】
またベース２の上面には前方に開放された収納凹部１０ａが形成され、この収納凹部１０ａとカバー１の両脚部１ａ，１ｂ間の空間（開口部１ｄ）とでカード収納室１０が構成される。収納凹部１０ａの底面にはミニＳＤカードＭＳＤの挿抜方向に沿って収納凹部１０ａの中間部から後端まで延びる幅細の複数本（例えば９本）の溝１６が左右方向に並べて形成され、底面の前側略中央にはミニＳＤカードＭＳＤを抜き差しする際に手が入り込む凹部９を形成してある。また収納凹部１０ａの底面には、後述する金属シェル３の連結片４５ａ，４５ｂに対向する部位に連結片４５ａ，４５ｂと当接する突台２８，２８がそれぞれ突設され、金属シェル３の固定片４３，４３に対向する部位に固定片４３，４３と当接する突台２９，２９が突設されている。
【００２３】
収納凹部１０ａの左右両側の脚部２ａ，２ｂの内、切欠部８ｂ側の脚部２ｂの内側面は後側の部位が他の部位よりも脚部２ａ側に張り出しており、この張出部２ｄに沿うように金属シェル３と当接するＬ字形の支持壁３１がベース２と一体に突設されている。なお支持壁３１の前端面には、ミニＳＤカードＭＳＤの切欠部５１の傾斜面に当接する傾斜面３１ａが形成されている。また両脚部２ａ，２ｂには金属シェル３の固定片４２，４２に対向する部位に、それぞれ固定片４２，４２が嵌合する凹溝２ｃ，２ｃが形成されている。
【００２４】
またベース２の後部には、カバー１に設けた端子片支持台１４に対向する部位に、ベース２の表裏を貫通する矩形状の貫通孔１７が左右方向に並べて形成され、各貫通孔１７の前側の端面には貫通孔１７に連通する幅狭の圧入溝１９が形成されており、ベース２の下面における各貫通孔１７の周縁部には、後面側に開放された複数の凹溝３２が形成されている。ここに、貫通孔１７及び端子片支持台１４の配列はＳＤメモリカードの端子配列と同じ配列になっている。
【００２５】
９本のコンタクト４１  〜４９  は、図１８及び図１９に示すように、導電性の良好な金属（例えばリン青銅など）のフープ材２０に抜き加工及び曲げ加工を施すことによって、一体に連結された状態で形成される。なおコンタクト４１  〜４９  は、下面側から見て９番ピンのコンタクト４９  が左端に配置され、９番ピンのコンタクト４９  の右側に１番ピンから８番ピンまでのコンタクト４１  〜４８  が順番に配置されている。
【００２６】
各コンタクト４１  〜４９  は、矩形板状の端子片２１と、端子片２１の前端部略中央から一体に連設される幅狭の固定片２２と、一端部が固定片２２を介して端子片２１に連結された中央片２３と、中央片２３の他端部から下向きに折り曲げられた折曲片２４と、折曲片２４の先端から前方に向かって突出する接触ばね片２５とを連続一体に形成して構成される。各接触ばね片２５の側面視の形状は、中間部が両端部に比べてカバー１側に向かって突出するような形状（例えばへ字状）に形成されている。そして隣接するコンタクト４１  〜４９  の間は中央片２３における固定片２２との連結部位の側方から連続一体に延設されたコ字形の連結片２６を介して連結され、各連結片２６は幅狭の繋ぎ片２０ｂを介して短冊状のキャリア部２０ａに連結されている。また両端に位置するコンタクト４８  ，４９  は中央片２３に一端が連結されたＬ字状の繋ぎ片２０ｃを介してキャリア部２０ａに連結されている。なお各端子片２１の後端部は上側に向かって斜めに折り曲げられており、各繋ぎ片２０ｂ，２０ｃの中間部も各端子片２１の後端部と略同じ角度で略Ｚ字状に折曲されている。
【００２７】
金属シェル３は、金属の薄板に抜き加工及び曲げ加工を施すことによって形成され、矩形板状の主部４１と、主部４１の前部の左右両側縁からそれぞれ下向きに突出する断面Ｌ字形の固定片４２，４２と、主部４１の後縁から下向きに突出する側部４７と、側部４７の下側縁の左右両側部からそれぞれ後方に向かって突出する固定片４３，４３と、側片４７の下側縁における３番ピンと６番ピン（下面側から見て左から４番目と７番目）のコンタクト４３  ，４６  に対応する部位から後方に突出する連結片４５ａ，４５ｂと、各連結片４５ａ，４５ｂの後端縁から後方に突出しコンタクト４３  ，４６  の端子片２１と端子片支持台１４との間に配置される矩形板状の端子片４６ａ，４６ｂと、を連続一体に形成してある。なお端子片４６ａ，４６ｂの後端部は、コンタクト４３  ，４６  の端子片２１と同様に、上側に向かって斜めに折り曲げられている。また各固定片４２，４２の縦片の後縁からはそれぞれ後方に突出する弾接ばね片４４ａ，４４ｂが連続一体に形成されており、各弾接ばね片４４ａ，４４ｂの平面視の形状は、中間部が両端部に比べて対向する弾接ばね片４４ｂ，４４ａに近付く向きに突出するような形状（例えばへ字状）に形成されている。
【００２８】
またライトプロテクト用の摘み７は合成樹脂成型品からなり、略直方体状の操作部７ａと、操作部７ａの一側面の上部から側方に突出する断面Ｔ字形の係止片７ｂとで構成される。摘み７は、係止片７ｂの先端から上下に突出する爪７ｃ，７ｃをカバー１及びベース２の凹溝３４，３６内に挿入した状態で摘み収納凹部３３，３５内に配置され、操作部７ａは切欠部８ａ，８ｂ内に露出する。そして摘み７は、爪７ｃ，７ｃが凹溝３４，３６内を移動することによって前後方向に移動可能となっており、爪７ｃ，７ｃの前後の側面が係止突起３７と係止することにより、切欠部８ａ，８ｂ内で前端又は後端の切替位置に保持されるようになっており、摘み７の位置によってライトプロテクトの状態にあるか否かが切り替えられる。
【００２９】
このような本実施形態のメモリカード用アダプタＡを組み立てるに当たっては、先ず図２０に示すようにキャリア部２０ａに繋ぎ片２０ｂ，２０ｃを介して連結されたコンタクト４１  〜４９  を、端子片２１が貫通孔１７内に挿入されるとともに、接触ばね片２５が溝１６内に配置されるようにして、上方からベース２に圧入すると、各コンタクト４１  〜４９  の固定片２２が圧入溝１９内に圧入されるなどしてベース２に仮固定される。この時、各コンタクト４１  〜４９  の中央片２３とキャリア部２０ａとを繋ぐ繋ぎ片２０ｂ，２０ｃはベース２に設けた溝３９内に挿入されており、この状態でキャリア部２０ａを起こして、各コンタクト４１  〜４９  の中央片２３に対して繋ぎ片２０ｂ，２０ｃを斜め上側に折り曲げると、中央片２３と繋ぎ片２０ｂとの連結部位、及び、中央片２３と繋ぎ片２０ｃとの連結部位がそれぞれ切断され（ノッチ折り）、各コンタクト４１  〜４９  からキャリア部２０ａが分離される。すなわち、各コンタクト４１  〜４９  は個々の部品に分離され、各コンタクト４１  〜４９  の間は電気的に絶縁される（図５参照）。
【００３０】
その後ベース２の摘み収納凹部３５内に摘み７を組み込むとともに、ベース２の上側の所定位置に金属シェル３を載置した状態で、カバー１をベース２の上側から被せて、カバー１とベース２とを接合することで組立が完了する。なおカバー１とベース２とは、超音波溶着、熱着、接着、かしめなどの適宜の方法を用いて接合すれば良い。また本実施形態では固定片２２を圧入溝１９内に圧入するなどしてベース２に仮固定した状態で、繋ぎ片２０ｂ，２０ｃを折り曲げて、各コンタクト４１  〜４９  の中央片２３と繋ぎ片２０ｂ又は繋ぎ片２０ｃとの連結部位を切断して分離した後、ベース２にカバー１を被着してベース２とカバー１との間でコンタクト４１  〜４９  を挟持しているが、各コンタクト４１  〜４９  をベース２上に載置し、治具などで各コンタクト４１  〜４９  を押さえた状態で繋ぎ片２０ｂ，２０ｃを折り曲げて、各コンタクト４１  〜４９  の中央片２３と繋ぎ片２０ｂ又は繋ぎ片２０ｃとの連結部位を切断して分離した後、ベース２にカバー１を被着してベース２とカバー１との間でコンタクト４１  〜４９  を挟持しても良い。
【００３１】
組立完了状態においては、各コンタクト４１  〜４９  の端子片２１がカバー１の端子片支持台１４に直接又は端子片４６ａ，４６ｂを介して当接しており、端子片２１の後端の折曲部は、端子片支持台１４又は端子片４６ａ，４６ｂの後面に設けた傾斜面に当接して、ベース２の貫通孔１７の周縁部と端子片支持台１４の傾斜面との間で挟持されている。また金属シェル３は、主部４１がカバー１の支持壁３１の先端面に当接した状態で、固定片４２，４２がカバー１の脚部１ｂ，１ｃとベース２の脚部２ａ，２ｂに設けた凹溝２ｃ，２ｃとの間で挟持され、固定片４３，４３がカバー１の凹溝２７，２７とベース２の突台２９，２９との間で挟持されるとともに、連結片４５ａ，４５ｂの基部がカバー１の切欠溝１３ａ，１３ａとベース２の突台２８，２８との間で挟持されることによって、カバー１とベース２との間で挟持されている。而してアダプタ本体の一部を金属製の金属シェル３で構成し、この金属シェル３をカバー１の開口部１ｄに嵌め込むことによってアダプタ本体を補強しているので、その剛性を高めることができ、さらに金属シェル３はカバー１及びベース２と別体であり、カバー１とベース２との間で挟持されているので、金属シェル３を樹脂製のカバー１と共に同時成形する場合に比べて製造コストを低減でき、メモリカード用アダプタＡのコストダウンが図れる。なお本実施形態では、ミニＳＤカードのＩ／Ｏ接触面が形成された面と反対側の面に対向するカバーの部位の略全体に開口部１ｄを形成しているが、ミニＳＤカードと対向する部位の少なくとも一部に開口部を形成して、この開口部に金属シェル３を嵌め込むようにしても良い。
【００３２】
また金属シェル３の端子片４６ａ，４６ｂはグランド（ＳＤメモリカードの場合は３番ピンと６番ピン）のコンタクト４３  ，４６  の端子片２１に当接し、ソケットに装着した際にコンタクト４３  ，４６  の端子片２１を介してソケット側のグランドのコンタクトに接続されるので、端子片４６ａ，４６ｂを介して金属シェル３が接地されるから、アダプタ本体のシールド性能を向上することができる。
【００３３】
以上にようにして組み立てられたメモリカード用アダプタＡにミニＳＤカードＭＳＤを挿着する際には、ミニＳＤカードＭＳＤを前後方向及び表裏方向を正規な方向に向けてカード挿入口４０からカード収納室１０の内部に挿入すると、ミニＳＤカードＭＳＤがカバー１及びベース２の脚部１ｂ，２ａと脚部１ｃ，２ｂとの間に挿入される。そしてミニＳＤカードＭＳＤをカード収納室１０の内部にさらに挿入すると、カード収納室１０内に並行配設される接触ばね片２５がミニＳＤカードＭＳＤの裏面に設けたＩ／Ｏ接触面５３に摺接して、接触ばね片２５がＩ／Ｏ接触面５３に電気的に接続される。さらにミニＳＤカードＭＳＤをカード収納室１０の内部に挿入すると、ミニＳＤカードＭＳＤの切欠部５１が支持壁３１の傾斜面３１ａに当接して、ミニＳＤカードＭＳＤのそれ以上の挿入が規制されるとともに、金属シェル３に一体に設けた弾接ばね片４４ａ，４４ｂの中間部に設けた係止凸部４４ｃ，４４ｃがミニＳＤカードＭＳＤのロック用凹所５５，５５に係止することによって、ミニＳＤカードＭＳＤの脱落が防止される。
【００３４】
また、メモリカード用アダプタＡに挿着されたミニＳＤカードＭＳＤを取り外す際には、アダプタ本体から露出するミニＳＤカードＭＳＤの前端部を把持し、弾接ばね片４４ａ，４４ｂのばね力に抗してミニＳＤカードＭＳＤを前方に引き抜くと、弾接ばね片４４ａ，４４ｂの係止凸部４４ｃ，４４ｃとロック用凹所５５，５５との係止状態が解除されて、ミニＳＤカードＭＳＤをメモリカード用アダプタＡから容易に取り外すことができる。
【００３５】
このように本実施形態では金属シェル３と一体に、ミニＳＤカードＭＳＤのロック用凹所５５，５５と係止する弾接ばね片４４ａ，４４ｂ（係止ばね片）を形成しているので、アダプタ本体にミニＳＤカードＭＳＤを挿入した際に弾接ばね片４４ａ，４４ｂがロック用凹部５５，５５と係止することで、ミニＳＤカードＭＳＤの抜け止めを行うことができ、さらに弾接ばね片４４ａ，４４ｂを金属シェル３と一体に形成しているので、弾接ばね片４４ａ，４４ｂを別部材とした場合に比べて部品点数を削減でき、メモリカード用アダプタのコストダウンが図れる。
【００３６】
【発明の効果】
上述のように、請求項１の発明は、メモリカードを装着して、前記メモリカードよりも外形が大きい大型メモリカード用のソケットに前記メモリカードを電気的且つ機械的に接続するためのメモリカード用アダプタであって、側面に開口したカード挿入口を通してメモリカードが挿抜される箱状のアダプタ本体と、アダプタ本体の内部にそれぞれ配置され、カード挿入口を通してアダプタ本体の内部に挿入されるメモリカードの複数のＩ／Ｏ接触面に電気的に接続されるとともに、ソケットに装着した際にソケットの複数のコンタクトに電気的に接続される複数の導電部材とを備え、前記アダプタ本体を、メモリカードのＩ／Ｏ接触面が形成された一面と対向配置される樹脂製のベースと、メモリカードの他面と対向する部位の少なくとも一部に開口部が形成され、ベースにおけるメモリカード側の面に被着される樹脂製のカバーと、カバーの開口部に取着される金属シェルと、を結合して構成したことを特徴とし、メモリカードの他面と対向するカバーの部位の少なくとも一部に開口部を形成して、この開口部に金属シェルを取着しているので、アダプタ本体の一部に金属製の金属シェルを使用することで、アダプタ本体を補強して、その剛性を高めることができ、さらに金属ベースを樹脂製のベース及びカバーと別体に形成しているので、金属部品を樹脂製のベースやカバーと共に同時成形する場合に比べて製造コストを低減でき、メモリカード用アダプタのコストダウンが図れるという効果がある。
【００３７】
請求項２の発明は、請求項１の発明において、金属シェルと一体に、ベースとカバーとの間で挟持される固定片を形成したことを特徴とし、ベースとカバーとを接合すると、ベースとカバーとの間で固定片が挟持されることで、金属シェルがベース及びカバーに対して固定されるので、請求項１の発明と同様に、金属シェルを樹脂製のカバーと共に同時成形する場合に比べて製造コストを低減でき、メモリカード用アダプタのコストダウンが図れるという効果がある。
【００３８】
請求項３の発明は、請求項１の発明において、グランドのコンタクトに接続される導電部材と電気的に接続される接続端子を金属シェルと一体に形成したことを特徴とし、ソケットに装着した際に導電部材がグランドのコンタクトに接続されると、接続端子を介して金属シェルが接地されるから、アダプタ本体のシールド性能が向上するという効果がある。
【００３９】
請求項４の発明は、請求項１の発明において、メモリカードの両側面に設けられたロック用凹部とそれぞれ係止する係止ばね片を金属シェルと一体に形成したことを特徴とし、アダプタ本体にメモリカードを挿入した際に係止ばね片がロック用凹部と係止することで、メモリカードの抜け止めを行うことができ、さらに係止ばね片を金属シェルと一体に形成しているので、係止ばね片を別部材とした場合に比べて部品点数を削減でき、メモリカード用アダプタのコストダウンが図れるという効果がある。
【図面の簡単な説明】
【図１】本実施形態のメモリカード用アダプタの分解斜視図である。
【図２】同上の外観斜視図である。
【図３】同上を示し、図５のＸ−Ｘ断面図である。
【図４】同上のカバーとベースとを接合する前の状態を側方から見た断面図である。
【図５】同上のベースにコンタクトを組み込んだ状態を上方から見た図である。
【図６】同上のカバーに金属シェルを組み込んだ状態を示し、（ａ）は下側から見た図、（ｂ）は前側から見た図である。
【図７】同上のカバーの上面図である。
【図８】同上のカバーを示し、（ａ）は下面図、（ｂ）は後側から見た図である。
【図９】同上のカバーを示し、（ａ）はＡ−Ａ断面図、（ｂ）はＢ−Ｂ断面図、（ｃ）はＣ−Ｃ断面図、（ｄ）はＤ−Ｄ断面図である。
【図１０】同上のカバーを示し、（ａ）はＥ−Ｅ断面図、（ｂ）はＦ−Ｆ断面図である。
【図１１】同上のカバーを下側から見た外観斜視図である。
【図１２】同上のボディを示し、（ａ）は上側から見た図、（ｂ）はＮ−Ｎ断面図である。
【図１３】同上のボディを示し、（ａ）は下側から見た図、（ｂ）は後側から見た図である。
【図１４】同上のボディを示し、（ａ）はＧ−Ｇ断面図、（ｂ）はＨ−Ｈ断面図、（ｃ）はＩ−Ｉ断面図、（ｄ）はＪ−Ｊ断面図である。
【図１５】同上のボディを示し、（ａ）はＫ−Ｋ断面図、（ｂ）はＬ−Ｌ断面図、（ｃ）はＭ−Ｍ断面図である。
【図１６】同上の金属シェルを示し、（ａ）は上側から見た図、（ｂ）は右側面図、（ｃ）は前側から見た図である。
【図１７】同上の金属シェルを下側から見た図である。
【図１８】同上のコンタクトをフープ材から分離する前の状態の外観斜視図である。
【図１９】同上のコンタクトをフープ材から分離した状態の外観斜視図である。
【図２０】同上の製造過程を説明する図である。
【図２１】ＳＤメモリカードの外観斜視図である。
【図２２】本実施形態に装着されるミニＳＤカードを示し、（ａ）は正面図、（ｂ）は右側から見た側面図、（ｃ）は下面図である。
【図２３】同上のミニＳＤカードを示し、（ａ）は背面図、（ｂ）は上面図である。
【符号の説明】
１    カバー
１ｄ  開口部
２    ベース
３    金属シェル
４１  〜４９    コンタクト
【図１】
2004272704.tif 000003
【図２】
2004272704.tif 000004
【図３】
2004272704.tif 000005
【図４】
2004272704.tif 000006
【図５】
2004272704.tif 000007
【図６】
2004272704.tif 000008
【図７】
2004272704.tif 000009
【図８】
2004272704.tif 000010
【図９】
2004272704.tif 000011
【図１０】
2004272704.tif 000012
【図１１】
2004272704.tif 000013
【図１２】
2004272704.tif 000014
【図１３】
2004272704.tif 000015
【図１４】
2004272704.tif 000016
【図１５】
2004272704.tif 000017
【図１６】
2004272704.tif 000018
【図１７】
2004272704.tif 000019
【図１８】
2004272704.tif 000020
【図１９】
2004272704.tif 000021
【図２０】
2004272704.tif 000022
【図２１】
2004272704.tif 000023
【図２２】
2004272704.tif 000024
【図２３】
2004272704.tif 000025